(57)【要約】【課題】本発明はコンポーネントキャリアの優先レベルの確定方法、システム及び装置を提供する。【解決手段】本発明の方法は、ネットワーク制御ユニット及び／又は端末はコンポーネントキャリアのキャリア情報によって上記コンポーネントキャリアの優先レベルを確定することを含む。該方法、システム及び装置は、UEがダウンリンクキャリアの周期CQI/PMI/RIフィードバックが衝突する場合に対してダウンリンクキャリアを高速に選択するようにさせることができ、且つ、追加のシグナリングを必要とせず、或いは既存の保留ビットのみを使用し、或いは少量の高位レイヤシグナリングオーバーヘッドのみによってUEに通知しているので、実現しやすいという利点がある。【特許請求の範囲】
【請求項１】
コンポーネントキャリアの優先レベルの確定方法であって、
ネットワーク制御ユニット及び／又は端末は、コンポーネントキャリアのキャリア情報によって前記コンポーネントキャリアの優先レベルを確定する、
ことを特徴とするコンポーネントキャリアの優先レベルの確定方法。
【請求項２】
前記キャリア情報は、コンポーネントキャリアのインデックス情報、コンポーネントキャリアの制御シグナリングにおける配置順序、及びコンポーネントキャリアの周波数情報のうちの１つ或いは複数を含む、請求項１に記載のコンポーネントキャリアの優先レベルの確定方法。
【請求項３】
前記インデックス情報は、サービスキャリアインデックス及び／又はサブキャリアインデックスである、請求項２に記載のコンポーネントキャリアの優先レベルの確定方法。
【請求項４】
前記ネットワーク制御ユニットは、前記コンポーネントキャリアのキャリア情報を無線リソース制御メッセージ或いはメディアアクセス制御の制御ユニットによって前記端末に送信する、請求項１に記載のコンポーネントキャリアの優先レベルの確定方法。
【請求項５】
前記キャリア情報がコンポーネントキャリアのインデックス情報を含む場合、前記ネットワーク制御ユニット及び／又は前記端末は、コンポーネントキャリアのインデックス値のソートによって前記コンポーネントキャリアの優先レベルを確定する、請求項２に記載のコンポーネントキャリアの優先レベルの確定方法。
【請求項６】
前記インデックス値は、Scellindex-r10の数値及び／又はServCellIndex-r10の数値である、請求項５に記載のコンポーネントキャリアの優先レベルの確定方法。
【請求項７】
前記のコンポーネントキャリアのインデックス値のソートによって前記コンポーネントキャリアの優先レベルを確定するために従う規則は、前記インデックス値のソートの昇順順序がコンポーネントキャリアの優先レベルの高から低へのソートに対応する、或いは前記インデックス値のソートの降順順序がコンポーネントキャリアの優先レベルの高から低へのソートに対応することである、請求項５に記載のコンポーネントキャリアの優先レベルの確定方法。
【請求項８】
コンポーネントキャリアのインデックス情報によって前記コンポーネントキャリアの優先レベルを確定することは、
端末が報告したダウンリンクコンポーネントキャリアのチャネル品質インジケータ（CQI）、プリコーディングマトリクスインジケータ（PMI）及びランクインジケータ（RI）の報告モード或いはタイプが同様であると、端末が、インデックス値が最小のダウンリンクコンポーネントキャリアのCQI、PMI或いはRIを選択して報告すること、
或いは、端末がアップリンクプライマリコンポーネントキャリアにおいてアップリンク物理共有チャネル（PUSCH）がないが、複数のアップリンクセカンダリコンポーネントキャリアにおいてアップリンク物理共有チャネルがある場合、端末が、インデックス値が最小のアップリンクコンポーネントキャリアを選択して報告することを含む、請求項２に記載のコンポーネントキャリアの優先レベルの確定方法。
【請求項９】
コンポーネントキャリアのインデックス情報によって前記コンポーネントキャリアの優先レベルを確定することは、前記端末に配置されたセカンダリコンポーネントキャリアの数が１より大きい場合、無線リソース制御（RRC）メッセージのセカンダリコンポーネントキャリア付加修正情報ユニットにおいて前記端末に配置されたセカンダリコンポーネントキャリアのインデックス値のソート、或いは前記端末にセカンダリコンポーネントキャリアを配置する順序によって前記セカンダリコンポーネントキャリアの優先レベル順序を確定することを含む、請求項２に記載のコンポーネントキャリアの優先レベルの確定方法。
【請求項１０】
コンポーネントキャリアのインデックス情報によって前記コンポーネントキャリアの優先レベルを確定することは、前記ネットワーク制御ユニットはアクティブ化／非アクティブ化メッセージのメディアアクセス制御の制御ユニット（MAC CE）において前記端末に配置されたアクティブ化されたセカンダリコンポーネントキャリアのインデックス値のソートによって前記アクティブ化されたセカンダリコンポーネントキャリアの優先レベル順序を確定することを含む、請求項２に記載のコンポーネントキャリアの優先レベルの確定方法。
【請求項１１】
アクティブ化／非アクティブ化メッセージのメディアアクセス制御の制御ユニット（MAC CE）の非インデックス値指示ビットを用いてコンポーネントキャリアのインデックス情報によって優先レベルを確定するか、コンポーネントキャリアの制御シグナリングにおける配置順序によって優先レベルを確定するかを指示し、或いは、前記ソートの昇順順序がコンポーネントキャリアの優先レベルの高から低へのソートに対応する、或いは前記ソートの降順順序がコンポーネントキャリアの優先レベルの高から低へのソートに対応することを指示する、請求項９又は１０に記載のコンポーネントキャリアの優先レベルの確定方法。
【請求項１２】
前記コンポーネントキャリアは前記端末のダウンリンクコンポーネントキャリア或いはアップリンクコンポーネントキャリアであり、コンポーネントキャリアのキャリア情報によって前記コンポーネントキャリアの優先レベルを確定することは、ダウンリンクコンポーネントキャリアのキャリア情報によって前記ダウンリンクコンポーネントキャリアの優先レベルを確定し、アップリンクコンポーネントキャリアのキャリア情報によって前記アップリンクコンポーネントキャリアの優先レベルを確定する、請求項１に記載のコンポーネントキャリアの優先レベルの確定方法。
【請求項１３】
前記コンポーネントキャリアは前記ネットワーク制御ユニットが前記端末に配置したセカンダリコンポーネントキャリア及び／又はプライマリコンポーネントキャリアであり、或いは、前記コンポーネントキャリアは前記ネットワーク制御ユニットが前記端末に配置したセカンダリコンポーネントキャリアにおいてアクティブ化状態にあるセカンダリコンポーネントキャリア及び／又はプライマリコンポーネントキャリアである、請求項１に記載のコンポーネントキャリアの優先レベルの確定方法。
【請求項１４】
前記コンポーネントキャリアがプライマリコンポーネントキャリアとセカンダリコンポーネントキャリアを含む場合、プライマリコンポーネントキャリアの優先レベルは最高である、請求項１に記載のコンポーネントキャリアの優先レベルの確定方法。
【請求項１５】
コンポーネントキャリアの優先レベルの確定システムであって、 
前記システムはネットワーク制御ユニットと端末を含み、
前記ネットワーク制御ユニットと端末は、コンポーネントキャリアのキャリア情報によって前記コンポーネントキャリアの優先レベルを確定するように設定される、
ことを特徴とするコンポーネントキャリアの優先レベルの確定システム。
【請求項１６】
前記キャリア情報は、コンポーネントキャリアのインデックス情報、コンポーネントキャリアの制御シグナリングにおける配置順序、及びコンポーネントキャリアの周波数情報のうちの１つ或いは複数を含む、請求項１５に記載のコンポーネントキャリアの優先レベルの確定システム。
【請求項１７】
前記ネットワーク制御ユニットと前記端末は、前記キャリア情報がコンポーネントキャリアのインデックス情報を含む場合、コンポーネントキャリアのインデックス値のソートによって前記コンポーネントキャリアの優先レベルを確定するように設定される、請求項１６に記載のコンポーネントキャリアの優先レベルの確定システム。
【請求項１８】
前記ネットワーク制御ユニットと前記端末は、前記ネットワーク制御ユニットが前記端末に配置したセカンダリコンポーネントキャリアの数が１より大きい場合、無線リソース制御（RRC）メッセージのセカンダリコンポーネントキャリア付加修正情報ユニットにおいて前記端末にセカンダリコンポーネントキャリアを配置する順序によって前記セカンダリコンポーネントキャリアの優先レベル順序を確定し、或いは、無線リソース制御（RRC）メッセージのセカンダリコンポーネントキャリア付加修正情報ユニットにおいて前記端末に配置されたセカンダリコンポーネントキャリアのインデックス値のソートによって前記セカンダリコンポーネントキャリアの優先レベル順序を確定するように設定される、請求項１６に記載のコンポーネントキャリアの優先レベルの確定システム。
【請求項１９】
前記ネットワーク制御ユニットは、アクティブ化／非アクティブ化メッセージのメディアアクセス制御の制御ユニット（MAC CE）において前記端末に配置されたアクティブ化されたセカンダリコンポーネントキャリアのインデックス値のソートによって前記アクティブ化されたセカンダリコンポーネントキャリアの優先レベル順序を確定し、アクティブ化／非アクティブ化メッセージのメディアアクセス制御の制御ユニット（MAC CE）の非インデックス値指示ビットを用いて前記ソートの昇順順序がコンポーネントキャリアの優先レベルの高から低へのソートに対応する、或いは前記ソートの降順順序がコンポーネントキャリアの優先レベルの高から低へのソートに対応することを指示するように設定される、請求項１６に記載のコンポーネントキャリアの優先レベルの確定システム。
【請求項２０】
前記ネットワーク制御ユニットは、基地局、中継局、マルチセル／マルチキャストコーディネーションエンティティ（MCE）、モビリティ管理エンティティ（MME）、ゲートウェイのうちの１つ或いは複数であり、
前記端末は、ユーザ端末、携帯電話、中継局のうちの１つである、請求項１５に記載のコンポーネントキャリアの優先レベルの確定システム。
【請求項２１】
コンポーネントキャリアの指示方法であって、 
ネットワーク制御ユニットはコンポーネントキャリアのキャリア情報を用いて制御シグナリングによって端末に１つの最高の優先レベルを有するコンポーネントキャリアを指示する、
ことを特徴とするコンポーネントキャリアの指示方法。
【請求項２２】
前記ネットワーク制御ユニットは、端末にコンポーネントキャリアの識別子を指示することによって端末に最高の優先レベルのコンポーネントキャリアを指示することを実現する、請求項２１に記載のコンポーネントキャリアの指示方法。
【請求項２３】
前記制御シグナリングは、無線リソース制御メッセージ或いはメディアアクセス制御の制御ユニットである、請求項２１に記載のコンポーネントキャリアの指示方法。
【請求項２４】
前記コンポーネントキャリアの識別子は、前記コンポーネントキャリアのScellindex-r10の数値及び／又はServCellIndex-r10の数値であり、或いは前記キャリア情報はコンポーネントキャリアの周波数情報である、請求項２２に記載のコンポーネントキャリアの指示方法。
【請求項２５】
情報の報告方法であって、 
端末はアップリンクシグナリングによってネットワーク制御ユニットに端末が報告したチャネル品質インジケータ（CQI）、プリコーディングマトリクスインジケータ（PMI）或いはランクインジケータ（RI）に対応するダウンリンクコンポーネントキャリアのキャリア情報を送信する、
ことを特徴とする情報の報告方法。
【請求項２６】
前記ダウンリンクコンポーネントキャリアは、前記端末が複数のダウンリンクキャリアのCQI、PMI或いはRIをフィードバックする必要がある場合、前記複数のダウンリンクキャリアから選択した１つのダウンリンクキャリアである、請求項２５に記載の情報の報告方法。
【請求項２７】
前記アップリンクシグナリングは、無線リソース制御メッセージ或いはメディアアクセス制御の制御ユニットである、請求項２５に記載の情報の報告方法。
【請求項２８】
前記キャリア情報は、前記コンポーネントキャリアのScellindex-r10の数値及び／又はServCellIndex-r10の数値であり、或いは前記キャリア情報はコンポーネントキャリアの周波数情報である、請求項２５に記載の情報の報告方法。
【請求項２９】
ネットワーク制御ユニットであって、
コンポーネントキャリアのキャリア情報によって前記コンポーネントキャリアの優先レベルを確定するように設定される優先レベル確定モジュールを含む、
ことを特徴とするネットワーク制御ユニット。
【請求項３０】
制御シグナリングによって端末に１つの最高の優先レベルを有するコンポーネントキャリアを指示するように設定される指示モジュールをさらに含む、請求項２９に記載のネットワーク制御ユニット。
【請求項３１】
端末であって、
コンポーネントキャリアのキャリア情報によって前記コンポーネントキャリアの優先レベルを確定するように設定される優先レベル確定モジュールを含む、
ことを特徴とする端末。
【請求項３２】
アップリンクシグナリングによってネットワーク制御ユニットに端末が報告したチャネル品質インジケータ（CQI）、プリコーディングマトリクスインジケータ（PMI）或いはランクインジケータ（RI）に対応するダウンリンクコンポーネントキャリアのキャリア情報を送信するように設定されるキャリア情報報告モジュールをさらに含む、請求項３１に記載の端末。
【発明の詳細な説明】
【技術分野】
【０００１】
本発明は、無線通信技術分野におけるマルチキャリアシステムに関し、特に、コンポーネントキャリアの優先レベルの確定方法、システム及び装置に関し、且つ、複数のキャリアから１つのキャリアを選択してデータ伝送を行うアプリケーションシーンに適用する。
【背景技術】
【０００２】
先進的な3GPPロングタームエボリューション（LTE-Advanced：LTE-A）システムは3GPPロングタームエボリューション（Long Term Evolution：LTE）システムの進化版であり、将来の数年内に無線通信市場のより高い需要及びより多くのアプリケーションを満足し、先進的な国際移動通信（International Mobile Telecommunications-Advanced：IMT-Advanced）の需要を満足し、且つ超えるとともに、更にLTEへのよい下位互換性を保持することを目的とする。
【０００３】
この需要を満足するために、LTE-Aではキャリアアグリゲーション技術を採用してさらにLTEより広い通信帯域幅をサポートし、キャリアアグリゲーションの主な原理は、複数のLTEへの下位互換性のあるキャリアをアグリゲーションすることによって最大で100MHz帯域幅をサポートできることである。LTEシステムへの下位互換性を保持するために、キャリアアグリゲーションにおける複数のキャリアは、いずれも独立な伝送符号化モジュールを有し、各々のモジュールは１つのキャリアに対応する。
【０００４】
LTE技術における周期的なチャネル品質インジケータ（Channel Quality Indicator：CQI）／プリコーディングマトリクスインジケータ（Precoding Matrix Indicators：PMI）／ランクインジケータ（Rank indicator：RI）フィードバック方式の設計は１つのダウンリンクキャリア及び１つのアップリンクキャリアの組み合わせ条件のみに対して、周期性的にアップリンク物理チャネルにダウンリンクキャリアのCQI/PMI/RI値をフィードバックし、ネットワーク制御ユニットは周期性的にダウンリンクキャリアのチャネル環境を分けることができる。キャリアアグリゲーション技術を有するLTE-Aシステムにおいて複数のダウンリンクキャリアが存在し、且つそれぞれのダウンリンクキャリアがいずれも独立に１つの伝送モジュールに対応するため、端末とも呼ばれるユーザ機器（User Equipment：UE）は複数の異なるダウンリンクキャリアに対応する周期CQI/PMI/RIをフィードバックしなければならない。
【０００５】
LTE-Aシステムにおいて、それぞれのダウンリンクキャリアの周期CQI/PMI/RIのフィードバック周期及びフィードバックオフセットはいずれもネットワーク制御ユニットが異なるダウンリンクキャリアに対して独立に設定したものであるため、複数の異なるダウンリンクキャリアに対応する周期CQI/PMI/RIが同時に同一のアップリンクサブフレームでフィードバックする必要が生じる可能性がある。LTE-Aシステムにおいて複数のダウンリンクキャリアの周期CQI/PMI/RIが同一のアップリンクサブフレームで送信する必要がある場合、まずCQI/PMI/RI情報の種類によってそれぞれの異なるダウンリンクキャリアの周期CQI/PMI/RIに対する優先レベルを判断し、例えばCQI及びRIは同時に１つのアップリンクサブフレームで送信する必要がある場合、RIの優先レベルが高いため、上記サブフレームではCQIを送信せず、RIを送信し、CQI/PMI/RI情報の種類が同様である場合、フィードバックする必要のあるダウンリンクキャリアの優先レベルによってぞれぞれの周期CQI/PMI/RIの優先レベルを判断し、ダウンリンクキャリアの優先レベルを判断した後、UEは１つのアップリンクサブフレームで優先レベルが最高のダウンリンクキャリアの周期CQI/PMI/RIのみを送信する。如何にダウンリンクキャリアの優先レベルを確定するかは直面する１つの問題である。
【０００６】
LTE-Aシステムにおいて、UEはアップリンクPcell（Primary cell、プライマリセル）或いはPCC（Primary Component Carrier、プライマリコンポーネントキャリア）（LTE-Aにおいて、１つのコンポーネントキャリアが１つのセルに対応するため、Pcell及びPCCは２つの異なる角度から述べるものであり、表す意味は同様である。Scell及びSCCの意味は類似する。）においてPUSCH（Physical Uplink Shared Channel、アップリンク物理共有チャネル）が存在し、且つUEがこの時アップリンク制御情報（Uplink Control Information：UCI）をフィードバックする必要があると、UEは上記UCIをPcellにおけるPUSCHに多重送信し、そのうち、UCIが周期CQI/PMI/RI及び／又はハイブリッド自動要求再送応答信号（Hybrid Automatic Repeat request-Acknowledgement：HARQ-ACK）である。UEはアップリンクPcellにおいてPUSCHが存在せず、アップリンクScell（Secondary cell、セカンダリセル）或いはSCC（Secondary Component Carrier、セカンダリコンポーネントキャリア）において送信する必要のある複数のPUSCHを有し、且つUEがこの時UCIをフィードバックする必要があると、UCIが周期或いは非周期CQI/PMI/RIであり、UEは１つのScellを選択し、ここのScellにおけるPUSCHにUCIを送信することがある。この時、UEはScellを選択する問題に直面し、UEはキャリアの優先レベルの判断を行って、UCIを優先レベルが高いScellにおけるPUSCHに置いて送信する必要がある。
【０００７】
以上のように、LTE-Aシステムにおいて、ダウンリンクキャリアの周期CQI/PMI/RIのフィードバック衝突の問題について、そのうちの１つのダウンリンクキャリアの周期CQI/PMI/RIを選択して報告する必要があり、Pcell及びScell或いはあるScellのみの中から１つのキャリアを選択してこのキャリアの周期CQI/PMI/RIを報告する必要がある。この時、上記キャリアが優先レベルを有すると、最高の優先レベルのキャリアを選択して報告することができる。同時に、LTE-AシステムにおいてアップリンクUCIフィードバックに現れたアップリンクPUSCHの選択問題について、Scellからある１つのアップリンクキャリアを選択してUCIを伝送する必要があり、この時、上記アップリンクキャリアが優先レベルを有すると、最高の優先レベルのアップリンクキャリアを選択して報告することができる。如何にしてキャリアの優先レベルを確定するかが解決すべき問題である。
【発明の概要】
【発明が解決しようとする課題】
【０００８】
本発明が解決しようとする技術的課題は、UEが、ダウンリンクキャリアの周期CQI/PMI/RIフィードバックが衝突する場合に対してダウンリンクキャリアを高速に選択するようにさせるコンポーネントキャリアの優先レベルの確定方法を提供することにある。
【課題を解決するための手段】
【０００９】
上記技術的課題を解決するために、本発明はコンポーネントキャリアの優先レベルの確定方法を提供し、ネットワーク制御ユニット及び／又は端末はコンポーネントキャリアのキャリア情報によって上記コンポーネントキャリアの優先レベルを確定することを特徴とする。
【００１０】
上記方法はさらに、上記キャリア情報は、コンポーネントキャリアのインデックス情報、コンポーネントキャリアの制御シグナリングにおける配置順序、コンポーネントキャリアの周波数情報のうちの１つ或いは複数を含む、という特徴を有してもよい。
【００１１】
上記方法はさらに、上記インデックス情報は、サービスキャリアインデックス及び／又はサブキャリアインデックスである、という特徴を有してもよい。
【００１２】
上記方法はさらに、上記ネットワーク制御ユニットは、上記コンポーネントキャリアのキャリア情報を無線リソース制御メッセージ或いはメディアアクセス制御の制御ユニットによって上記端末に送信する、という特徴を有してもよい。
【００１３】
上記方法はさらに、上記キャリア情報がコンポーネントキャリアのインデックス情報を含む場合、上記ネットワーク制御ユニット及び／又は上記端末はコンポーネントキャリアのインデックス値のソートによって上記コンポーネントキャリアの優先レベルを確定する、という特徴を有してもよい。
【００１４】
上記方法はさらに、上記インデックス値は、Scellindex-r10の数値及び／又はServCellIndex-r10の数値である、という特徴を有してもよい。
【００１５】
上記方法はさらに、上記のコンポーネントキャリアのインデックス値のソートによって上記コンポーネントキャリアの優先レベルを確定するために従う規則は、上記インデックス値のソートの昇順順序がコンポーネントキャリアの優先レベルの高から低へのソートに対応する、或いは上記インデックス値のソートの降順順序がコンポーネントキャリアの優先レベルの高から低へのソートに対応することである、という特徴を有してもよい。
【００１６】
上記方法はさらに、コンポーネントキャリアのインデックス情報によって上記コンポーネントキャリアの優先レベルを確定することは、端末が報告したダウンリンクコンポーネントキャリアのチャネル品質インジケータ、プリコーディングマトリクスインジケータ及びランクインジケータの報告モード或いはタイプが同様であると、端末が、インデックス値が最小のダウンリンクコンポーネントキャリアのチャネル品質インジケータ或いはプリコーディングマトリクスインジケータ或いはランクインジケータを選択して報告すること、或いは、端末がアップリンクプライマリコンポーネントキャリアにおいてアップリンク物理共有チャネル（PUSCH）がないが、複数のアップリンクセカンダリコンポーネントキャリアにおいてアップリンク物理共有チャネルがある場合、端末が、インデックス値が最小のアップリンクコンポーネントキャリアを選択して報告することを含む、という特徴を有してもよい。
【００１７】
上記方法はさらに、コンポーネントキャリアのインデックス情報によって上記コンポーネントキャリアの優先レベルを確定することは、上記端末に配置されたセカンダリコンポーネントキャリアの数が１より大きい場合、無線リソース制御（RRC）メッセージのセカンダリコンポーネントキャリア付加修正情報ユニットにおいて上記端末に配置されたセカンダリコンポーネントキャリアのインデックス値のソートによって上記セカンダリコンポーネントキャリアの優先レベル順序を確定することを含む、という特徴を有してもよい。
【００１８】
上記方法はさらに、コンポーネントキャリアのインデックス情報によって上記コンポーネントキャリアの優先レベルを確定することは、上記端末に配置されたセカンダリコンポーネントキャリアの数が１より大きい場合、無線リソース制御（RRC）メッセージのセカンダリコンポーネントキャリア付加修正情報ユニットにおいて上記端末にセカンダリコンポーネントキャリアを配置する順序によって上記セカンダリコンポーネントキャリアの優先レベル順序を確定することを含む、という特徴を有してもよい。
【００１９】
上記方法はさらに、コンポーネントキャリアのインデックス情報によって上記コンポーネントキャリアの優先レベルを確定することは、ネットワーク制御ユニットはアクティブ化／非アクティブ化メッセージのメディアアクセス制御の制御ユニット（MAC CE）において上記端末に配置されたアクティブ化されたセカンダリコンポーネントキャリアのインデックス値のソートによって上記アクティブ化されたセカンダリコンポーネントキャリアの優先レベル順序を確定することを含む、という特徴を有してもよい。
【００２０】
上記方法はさらに、アクティブ化／非アクティブ化メッセージのメディアアクセス制御の制御ユニット（MAC CE）の非インデックス値指示ビットを用いてコンポーネントキャリアのインデックス情報によって優先レベルを確定するか、コンポーネントキャリアの制御シグナリングにおける配置順序によって優先レベルを確定するかを指示し、或いは、上記ソートの昇順順序がコンポーネントキャリアの優先レベルの高から低へのソートに対応する、或いは上記ソートの降順順序がコンポーネントキャリアの優先レベルの高から低へのソートに対応することを指示する、という特徴を有してもよい。
【００２１】
上記方法はさらに、上記コンポーネントキャリアが端末のダウンリンクコンポーネントキャリア或いはアップリンクコンポーネントキャリアであり、コンポーネントキャリアのインデックス情報によって上記コンポーネントキャリアの優先レベルを確定することは、ダウンリンクコンポーネントキャリアのキャリア情報によって上記ダウンリンクコンポーネントキャリアの優先レベルを確定し、アップリンクコンポーネントキャリアのキャリア情報によって上記アップリンクコンポーネントキャリアの優先レベルを確定することを含む、という特徴を有してもよい。
【００２２】
上記方法はさらに、上記コンポーネントキャリアはネットワーク制御ユニットが端末に配置したセカンダリコンポーネントキャリア及び／又はプライマリコンポーネントキャリアであり、或いは、上記コンポーネントキャリアはネットワーク制御ユニットが端末に配置したセカンダリコンポーネントキャリアにおいてアクティブ化状態にあるセカンダリコンポーネントキャリア及び／又はプライマリコンポーネントキャリアである、という特徴を有してもよい。
【００２３】
上記方法はさらに、上記コンポーネントキャリアがプライマリコンポーネントキャリアとセカンダリコンポーネントキャリアを含む場合、プライマリコンポーネントキャリアの優先レベルは最高である、という特徴を有してもよい。
【００２４】
上記技術的課題を解決するために、本発明はさらに、コンポーネントキャリアの優先レベルの確定システムを提供し、上記システムはネットワーク制御ユニットと端末を含み、上記ネットワーク制御ユニットと端末は、コンポーネントキャリアのキャリア情報によって上記コンポーネントキャリアの優先レベルを確定するように設定されることを特徴とする。
【００２５】
上記システムは、さらに、上記キャリア情報はコンポーネントキャリアのインデックス情報、コンポーネントキャリアの制御シグナリングにおける配置順序、コンポーネントキャリアの周波数情報のうちの１つ或いは複数を含む、という特徴を有してもよい。
【００２６】
上記システムは、さらに、上記ネットワーク制御ユニットと上記端末は、上記キャリア情報がコンポーネントキャリアのインデックス情報を含む場合、コンポーネントキャリアのインデックス値のソートによって上記コンポーネントキャリアの優先レベルを確定するように設定される、という特徴を有してもよい。
【００２７】
上記システムは、さらに、上記ネットワーク制御ユニットと上記端末は、上記ネットワーク制御ユニットが上記端末に配置したセカンダリコンポーネントキャリアの数が１より大きい場合、無線リソース制御（RRC）メッセージのセカンダリコンポーネントキャリア付加修正情報ユニットにおいて上記端末にセカンダリコンポーネントキャリアを配置する順序によって上記セカンダリコンポーネントキャリアの優先レベル順序を確定し、或いは、無線リソース制御（RRC）メッセージのセカンダリコンポーネントキャリア付加修正情報ユニットにおいて上記端末に配置されたセカンダリコンポーネントキャリアのインデックス値のソートによって上記セカンダリコンポーネントキャリアの優先レベル順序を確定するように設定される、という特徴を有してもよい。
【００２８】
上記システムは、さらに、上記ネットワーク制御ユニットは、アクティブ化／非アクティブ化メッセージのメディアアクセス制御の制御ユニット（MAC CE）において上記端末に配置されたアクティブ化されたセカンダリコンポーネントキャリアのインデックス値のソートによって上記アクティブ化されたセカンダリコンポーネントキャリアの優先レベル順序を確定し、アクティブ化／非アクティブ化メッセージのメディアアクセス制御の制御ユニット（MAC CE）の非インデックス値指示ビットを用いて上記ソートの昇順順序がコンポーネントキャリアの優先レベルの高から低へのソートに対応する、或いは上記ソートの降順順序がコンポーネントキャリアの優先レベルの高から低へのソートに対応することを指示するように設定される、という特徴を有してもよい。
【００２９】
上記システムは、さらに、上記ネットワーク制御ユニットは、基地局、中継局、マルチセル／マルチキャストコーディネーションエンティティ（MCE）、モビリティ管理エンティティ（MME）、ゲートウェイのうちの１つ或いは複数であり、上記端末は、ユーザ端末、携帯電話、中継局のうちの１つである、という特徴を有してもよい。
【００３０】
上記技術的課題を解決するために、本発明はさらに、コンポーネントキャリアの指示方法を提供し、ネットワーク制御ユニットがコンポーネントキャリアのキャリア情報を用いて制御シグナリングによって端末に１つの最高の優先レベルのあるコンポーネントキャリアを指示することを特徴とする。
【００３１】
上記方法はさらに、上記ネットワーク制御ユニットは端末にコンポーネントキャリアの識別子を指示することによって端末に最高の優先レベルのコンポーネントキャリアを指示することを実現する、という特徴を有してもよい。
【００３２】
上記方法はさらに、上記制御シグナリングは無線リソース制御メッセージ或いはメディアアクセス制御の制御ユニットである、という特徴を有してもよい。
【００３３】
上記方法はさらに、上記コンポーネントキャリアの識別子は上記コンポーネントキャリアのScellindex-r10の数値及び／又はServCellIndex-r10の数値であり、或いは上記キャリア情報はコンポーネントキャリアの周波数情報である、という特徴を有してもよい。
【００３４】
上記技術的課題を解決するために、本発明はさらに、情報の報告方法を提供し、端末はアップリンクシグナリングによってネットワーク制御ユニットに端末が報告したチャネル品質インジケータ或いはプリコーディングマトリクスインジケータ或いはランクインジケータに対応するダウンリンクコンポーネントキャリアのキャリア情報を送信することを含むことを特徴とする。
【００３５】
上記方法はさらに、上記ダウンリンクコンポーネントキャリアは上記端末が複数のダウンリンクキャリアのチャネル品質インジケータ或いはプリコーディングマトリクスインジケータ或いはランクインジケータをフィードバックする必要がある場合、複数のダウンリンクキャリアから選択した１つのダウンリンクキャリアである、という特徴を有してもよい。
【００３６】
上記方法はさらに、上記アップリンクシグナリングは、無線リソース制御メッセージ或いはメディアアクセス制御の制御ユニットである、という特徴を有してもよい。
【００３７】
上記方法はさらに、上記キャリア情報は、上記コンポーネントキャリアのScellindex-r10の数値及び／又はServCellIndex-r10の数値であり、或いは上記キャリア情報はコンポーネントキャリアの周波数情報である、という特徴を有してもよい。
【００３８】
本発明はさらに、ネットワーク制御ユニットを提供し、コンポーネントキャリアのキャリア情報によって上記コンポーネントキャリアの優先レベルを確定するように設定される優先レベル確定モジュールを含むことを特徴とする。
【００３９】
上記ネットワーク制御ユニットはさらに、制御シグナリングによって端末に１つの最高の優先レベルのあるコンポーネントキャリアを指示するように設定される指示モジュールをさらに含む、という特徴を有してもよい。
【００４０】
本発明はさらに、端末を提供し、コンポーネントキャリアのキャリア情報によって上記コンポーネントキャリアの優先レベルを確定するように設定される優先レベル確定モジュールを含むことを特徴とする。
【００４１】
上記端末はさらに、アップリンクシグナリングによってネットワーク制御ユニットに端末が報告したチャネル品質インジケータ（CQI）、プリコーディングマトリクスインジケータ（PMI）或いはランクインジケータ（RI）に対応するダウンリンクコンポーネントキャリアのキャリア情報を送信するように設定されるキャリア情報報告モジュールをさらに含む、という特徴を有してもよい。
【発明の効果】
【００４２】
以上の提案は、UEがダウンリンクキャリアの周期CQI/PMI/RIフィードバックが衝突する場合に対して、ダウンリンクキャリアを高速に選択するようにさせることができ、且つ、追加のシグナリングを必要とせず、或いは既存の保留ビットのみを使用し、或いは少量の高位レイヤシグナリングオーバーヘッドのみによってUEに通知しているので、実現しやすいという利点がある。
【発明を実施するための形態】
【００４３】
本発明においてPcellとPCCは同じ概念であり、ScellとSCCは同じ概念である。明細書に特別な説明がない場合、ScellとPcellはアップリンクコンポーネントキャリアであっても、ダウンリンクコンポーネントキャリアであってもよい。
【００４４】
本発明の実施方式が適用するアプリケーションシーンは、ネットワーク制御ユニットがUEに複数のコンポーネントキャリアを配置しており、UEがダウンリンクコンポーネントキャリアのCQI/PMI/RIを報告する必要があって、この複数のダウンリンクコンポーネントキャリアのCQI/PMI/RI報告モード或いはタイプが同様である場合、標準規定によってUEがその中の１つのみを報告できることである。上記アプリケーションシーンで、本発明の実施方式の方法１は、UEが予め設定された優先レベルの確定方式によってダウンリンクコンポーネントキャリアの優先レベルを確定して優先レベルが最高のダウンリンクコンポーネントキャリアのCQI/PMI/RIを報告することであり、方法２は、ネットワーク制御ユニットがUEに１つのダウンリンクコンポーネントキャリアのCQI/PMI/RIを指定して報告させることである。
【００４５】
本発明の実施方式が適用する他のアプリケーションシーンは、UEがアップリンクプライマリコンポーネントキャリアにおいてPUSCHがないが、複数のアップリンクセカンダリコンポーネントキャリアにおいてPUSCHがある場合、UEが複数のアップリンクセカンダリコンポーネントキャリアから１つのアップリンクセカンダリコンポーネントキャリアを選択して報告する必要があることである。上記アプリケーションシーンで、本発明の実施方式の方法１は、UEが予め設定された優先レベルの確定方式によってアップリンクセカンダリコンポーネントキャリアの優先レベルを確定して優先レベルの最高のアップリンクセカンダリコンポーネントキャリアにはアップリンク報告を行うことである。方法２は、ネットワーク制御ユニットはUEに１つのアップリンクセカンダリコンポーネントキャリアを指定することである。
【００４６】
上記コンポーネントキャリアには２種類あり、１つはネットワーク制御ユニットが端末に配置したセカンダリコンポーネントキャリア及び／又はプライマリコンポーネントキャリアであり、他の１つはネットワーク制御ユニットが端末に配置したセカンダリコンポーネントキャリアにおいてアクティブ化状態にあるセカンダリコンポーネントキャリア及び／又はプライマリコンポーネントキャリアである。上記コンポーネントキャリアは端末のダウンリンクコンポーネントキャリア或いはアップリンクコンポーネントキャリアであり、ダウンリンクコンポーネントキャリアのキャリア情報によって上記ダウンリンクコンポーネントキャリアの優先レベルを確定し、アップリンクコンポーネントキャリアのキャリア情報によって上記アップリンクコンポーネントキャリアの優先レベルを確定する。
【００４７】
方法１に対応して、本発明の実施方式においてコンポーネントキャリアの優先レベルを確定する方法は、ネットワーク制御ユニット及び／又は端末がコンポーネントキャリアのキャリア情報によって上記コンポーネントキャリアの優先レベルを確定することを含む。
【００４８】
上記キャリア情報は下記の情報、コンポーネントキャリアのインデックス情報、コンポーネントキャリアの制御シグナリング（この制御シグナリングはネットワーク制御ユニットが端末に送信した制御シグナリングである）における配置順序、コンポーネントキャリアの周波数情報のうちの１つ或いは複数を含む。
そのうち、インデックス情報はサービスキャリアインデックス（ServCellIndex-r10）及び／又はサブキャリアインデックス（Scellindex-r10）であり、サブキャリアインデックスはキャリアインデックスとも呼ばれる点に注意する必要がある。サービスキャリアインデックスはサービスセル（例えばPcell或いはScell）を識別するために用いられ、サブキャリアインデックスはScellを識別するために用いられる。
【００４９】
ネットワーク制御ユニットは上記コンポーネントキャリアのキャリア情報を無線リソース制御（Radio Resource Control：RRC）メッセージ或いはメディアアクセス制御の制御ユニット（Medium Access Control Control Element：MAC CE）によって端末に送信する。
【００５０】
具体的な実現方式は、キャリア情報がコンポーネントキャリアのインデックス情報を含む場合、ネットワーク制御ユニット及び／又は上記端末はコンポーネントキャリア（ここにコンポーネントキャリアとは優先レベルを確定する必要のあるコンポーネントキャリアである）のインデックスの数値（インデックス値と呼ばれる）のソートによって上記コンポーネントキャリアの優先レベルを確定し、且つネットワーク制御ユニットと端末は１つのコンポーネントキャリアを選択して以上で言及したダウンリンクコンポーネントキャリア及び／又はアップリンクコンポーネントキャリアの選択問題を解決する。インデックス値はScellindex-r10の数値及び／又はServCellIndex-r10の数値である。
【００５１】
上記のコンポーネントキャリアのインデックス値のソートによって上記コンポーネントキャリアの優先レベルを確定するために従う規則は、上記インデックス値のソートの昇順順序がコンポーネントキャリアの優先レベルの高から低へのソートに対応する、或いは上記インデックス値のソートの降順順序がコンポーネントキャリアの優先レベルの高から低へのソートに対応することである。
【００５２】
例えば、コンポーネントキャリアのインデックス情報によって上記コンポーネントキャリアの優先レベルを確定することは、具体的には、端末が報告したダウンリンクコンポーネントキャリアのチャネル品質インジケータ、プリコーディングマトリクスインジケータ及びランクインジケータの報告モード或いはタイプが同様であると、端末がインデックス値が最小のダウンリンクコンポーネントキャリアのチャネル品質インジケータ或いはプリコーディングマトリクスインジケータ或いはランクインジケータを選択して報告すること、或いは、端末がアップリンクプライマリコンポーネントキャリアにおいてアップリンク物理共有チャネル（PUSCH）がないが複数のアップリンクセカンダリコンポーネントキャリアにおいてアップリンク物理共有チャネル（PUSCH）がある場合、端末がインデックス値が最小のアップリンクコンポーネントキャリアを選択して報告する。
【００５３】
以下、PcellとScellでコンポーネントキャリアを表す場合について具体的に説明する。本発明の実施方式において、コンポーネントキャリアはPcellと１つ或いは複数のScellであってもよく、Scellのみを含んでもよい。同時に、Pcellと１つ或いは複数のScellを含む場合、PcellとScellのインデックス値を以上の方法に従ってソートしてさらに優先レベルを確定し、或いはPcellの優先レベルが最高であると確定し、他のScellは以上の方法に従って優先レベルを確定する。
【００５４】
端末に配置されたセカンダリコンポーネントキャリアの数が１より大きい場合、無線リソース制御（RRC）メッセージのセカンダリコンポーネントキャリア付加修正（SCellToAddMod-r10）情報ユニットにおいて上記端末に配置されたセカンダリコンポーネントキャリアのインデックス値のソートによって上記セカンダリコンポーネントキャリアの優先レベル順序を確定する。例えば、インデックス値が小さいセカンダリコンポーネントキャリア優先レベルは優先レベルが高いセカンダリコンポーネントキャリアより高くなり、或いは、インデックス値が大きなセカンダリコンポーネントキャリア優先レベルは優先レベルが低いセカンダリコンポーネントキャリアより高くなる。
【００５５】
端末に配置されたセカンダリコンポーネントキャリアの数が１より大きい場合、無線リソース制御（RRC）メッセージのセカンダリコンポーネントキャリア付加修正（SCellToAddMod-r10）情報ユニットにおいて上記端末にセカンダリコンポーネントキャリアを配置する順序によって上記セカンダリコンポーネントキャリアの優先レベル順序を確定する。例えば、先に配置したセカンダリコンポーネントキャリアの優先レベルは後に配置したセカンダリコンポーネントキャリアより高くなり、或いは、後に配置したセカンダリコンポーネントキャリアの優先レベルは先に配置したセカンダリコンポーネントキャリアより高くなる。
【００５６】
或いは、端末に配置されたセカンダリコンポーネントキャリアの数が１より大きい場合、ネットワーク制御ユニットは配置したScell付加修正パラメーターが所在するメッセージに同時に上記配置したScellの優先レベルを付加する。
【００５７】
上記の方法はUEのすべてのScell（アクティブ化されたもの及び非アクティブ化されたものを含む）の優先レベルのソートに適用することができ、UEのアクティブ化されたScellの優先レベルのソートのみに適用してもよく、この時、非アクティブ化されたScellをソート範囲に含ませず、UEの非アクティブ化されたScellの優先レベルのソートのみに適用してもよく、この時、アクティブ化されたScellをソート範囲に含ませない。
【００５８】
以下、アクティブ化された複数のScellの適用について説明する。
【００５９】
ネットワーク制御ユニットはアクティブ化／非アクティブ化メッセージのメディアアクセス制御の制御ユニット（MAC CE）において上記端末に配置されたアクティブ化されたセカンダリコンポーネントキャリアのインデックス値のソートによって上記アクティブ化されたセカンダリコンポーネントキャリアの優先レベル順序を確定する。例えば、セカンダリコンポーネントキャリアのインデックス値の大から小への順序が優先レベルの高から低への順序に対応し、或いは、セカンダリコンポーネントキャリアのインデックス値の小から大への順序が優先レベルの高から低への順序に対応する。
【００６０】
上記指示方式は双方により予め決められたものであり、臨時に変更してはならない。Scellの優先レベルを指示する複数の方式の間を柔軟に転換させることを実現するために、アクティブ化／非アクティブ化メッセージのメディアアクセス制御の制御ユニット（MAC CE）の非インデックス値指示ビット（このビットがMAC CEの保留ビットである。）を用いて指示することができる。MAC CEは、C7、C6、C5、C4、C3、C2、C1、Rの8ビットを含む。そのうち、Ciはここのキャリアがアクティブ化されたものであることを指示し、そのうち、添字iはScellindexの数値である。Rは非インデックス値指示ビットである。
【００６１】
このビットRを用いてコンポーネントキャリアのインデックス情報によって優先レベルを確定するか、コンポーネントキャリアの制御シグナリングにおける配置順序によって優先レベルを確定するかを指示することができる。例えば、該ビットを１（或いは０）とする場合、Scellindexの数値の大きさを優先レベルとすることを表し、或いは該ビットを0（或いは１）とする場合、Scellindexの出現順序を優先レベルとすることを表す。
【００６２】
さらに、このビットRを用いてソートの昇順順序がコンポーネントキャリアの優先レベルの高から低へのソートに対応する、或いは上記ソートの降順順序がコンポーネントキャリアの優先レベルの高から低へのソートに対応することを指示することができる。例えば、Scellindexの数値の大きさを優先レベルとする場合、該ビットを１とする場合、Scellindexの数値の大から小へ順次に優先レベルが高くなることを表し、該ビットを0とする場合、Scellindexの数値の小から大へ順次に優先レベルが高くなることを表す。Scellの出現順序を使用する場合は、上記と同様であるため、詳細な説明は省略する。
【００６３】
方法２に対して、コンポーネントキャリアの指示方法は、ネットワーク制御ユニットはコンポーネントキャリアのキャリア情報を用いて制御シグナリングによって端末に１つの最高の優先レベルのあるコンポーネントキャリアを指示する。
【００６４】
上記ネットワーク制御ユニットは端末にコンポーネントキャリアの識別子を指示することによって端末に最高の優先レベルのコンポーネントキャリアを指示することを実現する。
【００６５】
上記制御シグナリングは無線リソース制御メッセージ或いはメディアアクセス制御の制御ユニットである。
【００６６】
上記コンポーネントキャリアの識別子は上記コンポーネントキャリアのScellindex-r10の数値及び／又はServCellIndex-r10の数値であり、或いはコンポーネントキャリアの周波数情報である。
【００６７】
本発明においてコンポーネントキャリアの優先レベルの確定システムはネットワーク制御ユニットと端末を含む。ネットワーク制御ユニットは、基地局（eNB）、中継局（relay）、マルチセル／マルチキャストコーディネーションエンティティ（Multi-cell/multicast Coordination Entity：MCE）、モビリティ管理エンティティ（Mobility Management Entity：MME）、ゲートウェイ（GateWay）のうちの１つ或いは複数であり、端末は、ユーザ端末、携帯電話、中継局のうちの１つである。
【００６８】
上記方法１に対応して、上記システムにおける上記ネットワーク制御ユニットと端末はコンポーネントキャリアのキャリア情報によって上記コンポーネントキャリアの優先レベルを確定することに用いられる。
【００６９】
上記方法２に対応して、上記システムにおけるネットワーク制御ユニットはコンポーネントキャリアのキャリア情報を用いて制御シグナリングによって端末に１つの最高の優先レベルのあるコンポーネントキャリアを指示することに用いられる。
【００７０】
本システムにおいてネットワーク制御ユニットと端末の具体的な機能は、上記方法において述べた相応のものと同様であるので、詳細な説明は省略する。
【００７１】
以下、実施例について詳細に説明する。
【００７２】
以下の実施例におけるScellとPcellはダウンリンクのコンポーネントキャリアであっても、アップリンクのコンポーネントキャリアであってもよい。特別な説明がない場合、以下の実施例は如何にしてコンポーネントキャリアを選択するかという方法のみを提供し、UEが複数のダウンリンクコンポーネントキャリアから１つのダウンリンクコンポーネントキャリアのCQI/PMI/RIを選択してネットワーク制御ユニットに報告する場合のダウンリンクコンポーネントキャリアの選択問題を解決するように、或いはUEが複数のアップリンクコンポーネントキャリアにおいていずれもPUSCHを有する場合、上記複数のアップリンクコンポーネントキャリアから１つのコンポーネントキャリアを選択してCQI/PMI/RIを報告する問題を解決するように、優先レベルによって１つのコンポーネントキャリアを選択する。
【実施例１】
【００７３】
実施例１において主にネットワーク制御ユニットとUEは予め決められた方式でScellの優先レベルを確定する方式について述べ、このような方式はネットワーク制御ユニットが追加のシグナリングを用いてUEを通知する必要がない。
【００７４】
ネットワーク制御ユニットとUEは、制御シグナリング（この制御シグナリングはネットワーク制御ユニットがUEにScellを配置するシグナリングである。）におけるScellの配置順序によってScellの優先レベルを確定すると取り決める。具体的には、ネットワーク制御ユニットとUEは、Scellの配置順序の前から後ろへのソートがScellの優先レベルの高から低へのソートに対応し、或いは、Scellの配置順序の後から前へのソートがScellの優先レベルの高から低へのソートに対応すると決めることができる。
【００７５】
或いは、ネットワーク制御ユニットとUEは、制御シグナリング（この制御シグナリングはネットワーク制御ユニットがUEにScellを配置するシグナリングである。）におけるScellのインデックス値によってScellの優先レベルを確定すると取り決める。具体的には、ネットワーク制御ユニットとUEは、Scellのインデックス値の大から小へのソートがScellの優先レベルの高から低へのソートに対応し、或いは、Scellのインデックス値の小から大へのソートがScellの優先レベルの高から低へのソートに対応すると決めることができる。
【００７６】
UEは上記制御シグナリングを受信した後、Scellの優先レベルが分かれ、UEは、Scellの優先レベルによって報告或いは他の処理を行う必要がある場合、直接にScellの優先レベルによって処理することができる。
【００７７】
該実施例において上記Scellは、アクティブ化されたものも非アクティブ化されたものも含むすべてのScellに対する場合、アクティブ化されたScellのみに対する場合、及び非アクティブ化されたScellのみに対する場合という３種類の場合を含む。しかし、３種類の場合はいずれも本実施例の上記方法に従って各種の場合での優先レベルを確定することができる。例えば、アクティブ化されたScellの優先レベルのみの場合、上記規則が相変わらず有効であり、この規則の応用の対応は該UEがアクティブ化されたScellである場合に対するのに過ぎず、非アクティブ化されたScellを除く。
【００７８】
UEはネットワーク制御ユニットが送信したアクティブ化／非アクティブ化されたMAC CEによって自己のScellにおいて、どれがアクティブ化されたものであるか、どれが非アクティブ化されたものであるかが分かる。
【実施例２】
【００７９】
実施例１においては、主にアクティブ化されたScellの優先レベルの確定方式について説明した。実施例２と実施例１との相違点は、実施例２がUEのアクティブ化されたScellの優先レベルの確定のみについて説明し、用いられる方式がUEによってアクティブ化されたScellのインデックスの数値の大きさを用いて優先レベルを確定することにある。
【００８０】
例えば、双方はScellのindex数値の大から小へ優先レベルが順次に低下或いは上昇すると取り決め、本実施例はindexの数値が小さければ小さいほど、優先レベルが高くなると仮定すると、UEが上記の複数のキャリアから１つのキャリアを選択する必要がある場合、UEは自己に属するアクティブ化されたキャリアに対応するindex数値が最小の１つを選択すればよく、双方が事前に決めた規則のため、ネットワーク制御ユニットはUEのアクティブ化キャリアのindexの配置状況を了解し、UEがキャリアの選択を行う必要がある場合、ネットワーク制御ユニットは同様の規則によってUEが選択したキャリアが分かり、本実施例において、ネットワーク制御ユニットは同様の規則によってUEがアクティブ化キャリアのうちのindex数値が最小の１つのキャリアを用いたことが分かる。
【実施例３】
【００８１】
実施例３においては、ネットワーク制御ユニットはUEに優先レベルの確定の原則の方式を指示することについて説明する。
【００８２】
本実施例においてアクティブ化／非アクティブ化されたMAC CEにおける保留ビット位を用いて決めたどちらの方式或いはどちらの具体的な原則を具体的に用いてキャリアの優先レベルを確定するかについて説明する。
【００８３】
ネットワーク制御ユニットとUEはキャリアの優先レベルを確定する方式を取り決め、本発明に従って以下の通りのいくつかの種類に分けられる。
【００８４】
第１方式：ネットワーク制御ユニットは、UEにそのキャリアを配置する時、RRCメッセージによって配置し、該メッセージには該UEに配置されたキャリア情報を含み、そのうち、ネットワーク制御ユニットは該UEに配置された各のキャリアに１つのindexを配置するため、上記indexの数値の大きさによってキャリアの優先レベルを確定し、具体的に２種類の原則があり、原則１は上記indexの数値が大から小への順序が順次にキャリアの優先レベルの高から低への順序に対応することであり、原則２は上記indexの数値の大から小への順序が順次にキャリアの優先レベルの低から高への順序に対応することである。
【００８５】
第２方式：ネットワーク制御ユニットは、UEにそのキャリアを配置する時、RRCメッセージによって配置し、該メッセージにはコンポーネントキャリアの制御シグナリングにおける配置順序を含み、上記キャリアの上記メッセージにおける配置順序によってキャリアの優先レベルを確定し、具体的に２種類の原則があり、原則aは先に配置したキャリアに対応する優先レベルが最高であることであり、原則bは先に配置したキャリアに対応する優先レベルが最低であることである。
【００８６】
ネットワーク制御ユニットはアクティブ化／非アクティブ化されたMAC CEシグナリングによってUEにそれに属するどのキャリアがアクティブ化されたものであるか、どのキャリアが非アクティブ化されたものであるかを指示し、従来、該MAC CEにおける保留ビットは、本実施例において該ビットを用いて事前に取り決めた方式を結びつけることによって具体的なキャリアの優先レベルの確定の原則を指示する。ネットワーク制御ユニットとUEは、このビットが１である場合、第１方式における原則１、或いは第１方式における原則２、或いは、第２方式における原則a、第２方式における原則bを表すと決めることができる。
【実施例４】
【００８７】
Pcellと１つ或いは複数のScellを含むと確定する時に優先レベルを確定する場合、Pcellもネットワーク制御ユニットによって配置されるものであるため、ネットワーク制御ユニットはPcellにもインデックスを配置する。PcellとScellのインデックス値を全体でソートし、このソートによって優先レベルを確定する。具体的には上記のキャリアのインデックスの数値の大きさの方式を用いてキャリアの優先レベルを確定する場合を参照する。
【実施例５】
【００８８】
UEは確定しようとする優先レベルのキャリアにPcellも含まれることに当面する場合、UEはPcellの優先レベルが最高であることを確定でき、次に残ったScellは上記方法に従って確定される。
【００８９】
方法２に対して、本発明においてコンポーネントキャリアの指示方法は、ネットワーク制御ユニットがコンポーネントキャリアのキャリア情報を用いて制御シグナリングによって端末に１つの最高の優先レベルのあるコンポーネントキャリアを指示する。端末はこのコンポーネントキャリアのCQI/PMI/RIを報告する。上記制御シグナリングは無線リソース制御メッセージ或いはメディアアクセス制御の制御ユニットである。ネットワーク制御ユニットは端末にコンポーネントキャリアの識別子を指示することによって端末に最高の優先レベルのコンポーネントキャリアを指示することを実現する。コンポーネントキャリアの識別子は上記コンポーネントキャリアのScellindex-r10の数値及び／又はServCellIndex-r10の数値であり、或いはコンポーネントキャリアの周波数情報である。
【００９０】
上記のネットワーク制御ユニットによって直接にUEにコンポーネントキャリアを指示する方法は、優先レベルの確定ステップを減少させ、UEが複数のダウンリンクコンポーネントキャリアから１つのコンポーネントキャリアのCQI/PMI/RIを選択して報告する必要があり、或いはUEが複数のアップリンクコンポーネントキャリアからどちらのアップリンクコンポーネントキャリアにCQI/PMI/RIを報告する必要があるかということに当面する場合、UEは優先レベルの判定を行う必要がなく直接にどちらのダウンリンクコンポーネントキャリアのCQI/PMI/RIを報告するかが分かる。
【００９１】
ネットワーク制御ユニットはUEに複数のダウンリンク或いはアップリンクコンポーネントキャリアを配置するものであり、以下、それぞれダウンリンクコンポーネントキャリアとアップリンクコンポーネントキャリアに対する場合によって詳細に説明する。
【００９２】
ダウンリンクコンポーネントキャリアの選択問題について、ネットワーク制御ユニットはUEに各々のダウンリンクコンポーネントキャリアのCQI/PMI/RIフィードバック周期或いはタイミングを配置しており、ネットワーク制御ユニットはUEの複数のダウンリンクコンポーネントキャリア（Pcell及び／又はScellを含む。）のCQI/PMI/RIフィードバックタイミングが衝突することを発見した場合、ネットワーク側は制御シグナリングによってUEに上記ダウンリンクコンポーネントキャリアのキャリア情報を送信し、端末に協力してどちらのダウンリンクコンポーネントキャリアのCQI/PMI/RIをネットワーク制御ユニットに報告するかを確定する。例えば、ネットワーク制御ユニットは制御シグナリングを用いてRRCメッセージ或いはMAC CE方式によってUEに送信し、且つ、該制御シグナリングに１つのダウンリンクコンポーネントキャリアのキャリア情報を載せ、キャリア情報によって表されたダウンリンクコンポーネントキャリアは上記のCQI/PMI/RIフィードバックタイミングが衝突する複数のダウンリンクコンポーネントキャリアにおける１つであり、UEは、上記衝突タイミングのところのみに、該キャリア情報によって表されたコンポーネントキャリアのCQI/PMI/RIをネットワーク制御ユニットにフィードバックすればよい。ここで、上記コンポーネントキャリアのキャリア情報は上記コンポーネントキャリアのScellindex-r10の数値及び／又はServCellIndex-r10の数値であり、或いはコンポーネントキャリアの周波数情報である。
【００９３】
アップリンクコンポーネントキャリアの選択問題について、上記と同様の方式によって処理する。UEのアップリンクコンポーネントキャリアのPUSCHの送信はネットワーク制御ユニットによってディスパッチして配置され、ネットワーク制御ユニットはUEに複数のアップリンクセカンダリコンポーネントキャリアにおいていずれもPUSCHがあり、且つアップリンクPcellにおいてPUSCHがないことを発見したとすると、ネットワーク制御ユニットは制御シグナリングによってUEに１つのアップリンクセカンダリコンポーネントキャリアを指定してUEのダウンリンクコンポーネントキャリアのCQI/PMI/RI報告を送信してもらう。例えばネットワーク制御ユニットは制御シグナリングRRCメッセージ或いはMAC CE方式によってUEに送信し、且つ該制御シグナリングに１つのアップリンクコンポーネントキャリアのキャリア情報を載せ、このキャリア情報が表したアップリンクコンポーネントキャリアは上記のダウンリンクコンポーネントキャリアのCQI/PMI/RI報告を送信するアップリンクコンポーネントキャリアであり、UEは上記キャリア情報によって表されたアップリンクコンポーネントキャリアにおいてCQI/PMI/RI報告をネットワーク制御ユニットに送信すればよい。ここで、上記コンポーネントキャリアのキャリア情報は上記コンポーネントキャリアのScellindex-r10の数値及び／又は ServCellIndex-r10の数値であり、或いはコンポーネントキャリアの周波数情報である。
【００９４】
本発明はさらに、情報の報告方法を提供し、端末がアップリンクシグナリングによってネットワーク制御ユニットに端末が報告したチャネル品質インジケータ或いはプリコーディングマトリクスインジケータ或いはランクインジケータに対応するダウンリンクコンポーネントキャリアのキャリア情報を送信することを含む。
【００９５】
上記ダウンリンクコンポーネントキャリアは、上記端末が複数のダウンリンクキャリアのチャネル品質インジケータ或いはプリコーディングマトリクスインジケータ或いはランクインジケータをフィードバックする必要がある場合、複数の下キャリアから選択した１つのダウンリンクキャリアである。
【００９６】
ここのアップリンクシグナリングは無線リソース制御メッセージ或いはメディアアクセス制御の制御ユニットである。
【００９７】
上記キャリア情報は具体的には、上記コンポーネントキャリアのScellindex-r10の数値及び／又はServCellIndex-r10の数値であり、或いはコンポーネントキャリアの周波数情報である。
【００９８】
具体的な内容を以下のように説明する。
【００９９】
UEが複数のダウンリンクコンポーネントキャリア（Pcell及び／又はScellを含む。）のCQI/PMI/RIフィードバック周期或いはタイミングが衝突することに当面する場合、UEはそのうちの１つのダウンリンクコンポーネントキャリア（ランダムに選択する方式或いは予め設定された規則に従って選択する方式を採用できる。）のCQI/PMI/RIを選択してネットワーク制御ユニットに報告し、且つ、同時に、UEはネットワーク側の制御ユニットに該コンポーネントキャリアのキャリア情報を送信する。上記キャリア情報は具体的には上記コンポーネントキャリアのScellindex-r10の数値及び／又はServCellIndex-r10の数値であり、或いはコンポーネントキャリアの周波数情報である。このように、ネットワーク制御ユニットはUEのCQI/PMI/RI報告及び上記キャリア情報を受信した後、UEがどちらのダウンリンクコンポーネントキャリアのCQI/PMI/RI報告を報告したかが分かる。
【０１００】
衝突しない場合に、本出願における実施例及び実施例における特徴は互いに任意に組み合わることができることに留意すべきである。
【０１０１】
もちろん、本発明はさらに、他の様々な実施例を有しても良く、本発明の精神及びその実質を逸脱せず、当業者は本発明によって各種の相応の変更や変形を加えることができるが、これらの相応の変更や変形はいずれも本発明における請求項の保護範囲に属すべきである。
【０１０２】
一般の当業者は上記方法の全部或は一部のステップがプログラムを用いて関連ハードウェアに対して命令を出し、完成させることができ、上記プログラムはコンピューターの可読記憶媒体、例えば読み出し専用メモリ、磁気ディスク或は光ディスク等に記憶できると理解可能である。上述実施例の全部或は一部のステップは１つ或いは複数の集積回路を使用することで実現するという選択肢もある。それに対応し、上述実施例における各モジュール／ユニットはハードウェア形式で実現でき、またソフトウェアの機能モジュール形式でも実現できる。本発明は如何なる特定した形式のハードウェアとソフトウェアの結合にも限定されない。
【産業上の利用可能性】
【０１０３】
上記実施方式は、UEがダウンリンクキャリアの周期CQI/PMI/RIのフィードバックが衝突する場合に対して、ダウンリンクキャリアを高速に選択するようにさせることができ、且つ、追加のシグナリングを必要とせず、或いは既存の保留ビットのみを使用し、或いは少量の高位レイヤシグナリングオーバーヘッドのみによってUEに通知しているので、実現しやすいという利点がある。
【手続補正書】
【提出日】平成24年6月7日(2012.6.7)
【手続補正１】
【補正対象書類名】明細書
【補正対象項目名】００４４
【補正方法】変更
【補正の内容】
【００４４】
本発明の実施方式が適用するアプリケーションシーンは、ネットワーク制御ユニットがUEに複数のコンポーネントキャリアを配置しており、UEがダウンリンクコンポーネントキャリアのCQI/PMI/RIを報告する必要があって、この複数のダウンリンクコンポーネントキャリアのCQI/PMI/RI報告モード或いはタイプが同様である場合（つまり、UEが報告する必要がある複数のダウンリンクコンポーネントキャリアのCQI/PMI/RIが同様の優先レベルを有する報告タイプである時、この情況でUEがどのダウンリンクコンポーネントキャリアのCQI/PMI/RIを報告するかが分からない。）標準規定によってUEがその中の１つのみを報告できることである。上記アプリケーションシーンで、本発明の実施方式の方法１は、UEが予め設定された優先レベルの確定方式によってダウンリンクコンポーネントキャリアの優先レベルを確定して優先レベルが最高のダウンリンクコンポーネントキャリアのCQI/PMI/RIを報告することであり、方法２は、ネットワーク制御ユニットがUEに１つのダウンリンクコンポーネントキャリアのCQI/PMI/RIを指定して報告させることである。
【手続補正２】
【補正対象書類名】明細書
【補正対象項目名】００５２
【補正方法】変更
【補正の内容】
【００５２】
例えば、コンポーネントキャリアのインデックス情報によって上記コンポーネントキャリアの優先レベルを確定することは、具体的には、端末が報告したダウンリンクコンポーネントキャリアのチャネル品質インジケータ、プリコーディングマトリクスインジケータ及びランクインジケータの報告モード或いはタイプが同様であると(つまり、UEが報告する必要がある複数のダウンリンクコンポーネントキャリアのCQI/PMI/RIが同様の優先レベルを有する報告タイプである。)、ギブンのサブフレームに対し、端末がインデックス値が最小のダウンリンクコンポーネントキャリアのチャネル品質インジケータ或いはプリコーディングマトリクスインジケータ或いはランクインジケータを選択して報告すること、或いは、端末がアップリンクプライマリコンポーネントキャリアにおいてアップリンク物理共有チャネル（PUSCH）がないが複数のアップリンクセカンダリコンポーネントキャリアにおいてアップリンク物理共有チャネル（PUSCH）がある場合、端末がインデックス値が最小のアップリンクコンポーネントキャリアを選択して報告する。
【手続補正３】
【補正対象書類名】明細書
【補正対象項目名】００９９
【補正方法】変更
【補正の内容】
【００９９】
UEが複数のダウンリンクコンポーネントキャリア（Pcell及び／又はScellを含む。）のCQI/PMI/RIフィードバック周期或いはタイミングが衝突することに当面する場合(つまり、UEが報告する必要がある複数のダウンリンクコンポーネントキャリアのCQI/PMI/RIが同様の優先レベルを有する報告タイプである。)、UEはそのうちの１つのダウンリンクコンポーネントキャリア（ランダムに選択する方式或いは予め設定された規則に従って選択する方式を採用できる。）のCQI/PMI/RIを選択してネットワーク制御ユニットに報告し、且つ、同時に、UEはネットワーク側の制御ユニットに該コンポーネントキャリアのキャリア情報を送信する。上記キャリア情報は具体的には上記コンポーネントキャリアのScellindex-r10の数値及び／又はServCellIndex-r10の数値であり、或いはコンポーネントキャリアの周波数情報である。このように、ネットワーク制御ユニットはUEのCQI/PMI/RI報告及び上記キャリア情報を受信した後、UEがどちらのダウンリンクコンポーネントキャリアのCQI/PMI/RI報告を報告したかが分かる。
【手続補正４】
【補正対象書類名】特許請求の範囲
【補正対象項目名】全文
【補正方法】変更
【補正の内容】
【特許請求の範囲】
【請求項１】
コンポーネントキャリアの優先レベルの確定方法であって、
ネットワーク制御ユニット及び／又は端末は、コンポーネントキャリアのインデックス値のソートによって前記コンポーネントキャリアの優先レベルを確定し、
前記コンポーネントキャリアのインデックス値は、サービスキャリアインデックス（ServCellIndex-r10）及び/又はサブキャリアインデックス（Scellindex-r10）の数値である、
ことを特徴とするコンポーネントキャリアの優先レベルの確定方法。
【請求項２】
前記のコンポーネントキャリアのインデックス値のソートによって前記コンポーネントキャリアの優先レベルを確定するために従う規則は、前記インデックス値のソートの昇順順序がコンポーネントキャリアの優先レベルの高から低へのソートに対応する、或いは前記インデックス値のソートの降順順序がコンポーネントキャリアの優先レベルの高から低へのソートに対応することである、請求項１に記載のコンポーネントキャリアの優先レベルの確定方法。
【請求項３】
コンポーネントキャリアのインデックス値のソートによって前記コンポーネントキャリアの優先レベルを確定することは、
端末が報告したダウンリンクコンポーネントキャリアのチャネル品質インジケータ（CQI）、プリコーディングマトリクスインジケータ（PMI）或いはランクインジケータ（RI）の報告モード或いはタイプが同様であると、端末が、インデックス値が最小のダウンリンクコンポーネントキャリアのCQI、PMI或いはRIを選択して報告すること、
或いは、端末がアップリンクプライマリコンポーネントキャリアにおいてアップリンク物理共有チャネル（PUSCH）がないが、複数のアップリンクセカンダリコンポーネントキャリアにおいてアップリンク物理共有チャネルがある場合、端末が、インデックス値が最小のアップリンクコンポーネントキャリアを選択して報告することを含む、請求項１に記載のコンポーネントキャリアの優先レベルの確定方法。
【請求項４】
コンポーネントキャリアのインデックス情報によって前記コンポーネントキャリアの優先レベルを確定することは、前記端末に配置されたセカンダリコンポーネントキャリアの数が１より大きい場合、無線リソース制御（RRC）メッセージのセカンダリコンポーネントキャリア付加修正情報ユニットにおいて前記端末に配置されたセカンダリコンポーネントキャリアのインデックス値のソート、或いは前記端末にセカンダリコンポーネントキャリアを配置する順序によって前記セカンダリコンポーネントキャリアの優先レベル順序を確定することを含む、請求項１に記載のコンポーネントキャリアの優先レベルの確定方法。
【請求項５】
コンポーネントキャリアのインデックス値のソートによって前記コンポーネントキャリアの優先レベルを確定することは、前記ネットワーク制御ユニットはアクティブ化／非アクティブ化メッセージのメディアアクセス制御の制御ユニット（MAC CE）において前記端末に配置されたアクティブ化されたセカンダリコンポーネントキャリアのインデックス値のソートによって前記アクティブ化されたセカンダリコンポーネントキャリアの優先レベル順序を確定することを含む、請求項１に記載のコンポーネントキャリアの優先レベルの確定方法。
【請求項６】
アクティブ化／非アクティブ化メッセージのメディアアクセス制御の制御ユニット（MAC CE）の非インデックス値指示ビットを用いてコンポーネントキャリアのインデックス値のソートによって優先レベルを確定するか、コンポーネントキャリアの制御シグナリングにおける配置順序によって優先レベルを確定するかを指示し、或いは、前記ソートの昇順順序がコンポーネントキャリアの優先レベルの高から低へのソートに対応する、或いは前記ソートの降順順序がコンポーネントキャリアの優先レベルの高から低へのソートに対応することを指示する、請求項４又は５に記載のコンポーネントキャリアの優先レベルの確定方法。
【請求項７】
前記コンポーネントキャリアは前記端末のダウンリンクコンポーネントキャリア或いはアップリンクコンポーネントキャリアであり、コンポーネントキャリアのインデックス値のソートによって前記コンポーネントキャリアの優先レベルを確定することは、ダウンリンクコンポーネントキャリアのインデックス値のソートによって前記ダウンリンクコンポーネントキャリアの優先レベルを確定し、アップリンクコンポーネントキャリアのキャリア情報によって前記アップリンクコンポーネントキャリアの優先レベルを確定する、請求項１に記載のコンポーネントキャリアの優先レベルの確定方法。
【請求項８】
前記コンポーネントキャリアは前記ネットワーク制御ユニットが前記端末に配置したセカンダリコンポーネントキャリア及び／又はプライマリコンポーネントキャリアであり、或いは、前記コンポーネントキャリアは前記ネットワーク制御ユニットが前記端末に配置したセカンダリコンポーネントキャリアにおいてアクティブ化状態にあるセカンダリコンポーネントキャリア及び／又はプライマリコンポーネントキャリアである、請求項１に記載のコンポーネントキャリアの優先レベルの確定方法。
【請求項９】
前記コンポーネントキャリアがプライマリコンポーネントキャリアとセカンダリコンポーネントキャリアを含む場合、プライマリコンポーネントキャリアの優先レベルは最高である、請求項１に記載のコンポーネントキャリアの優先レベルの確定方法。
【請求項１０】
コンポーネントキャリアの優先レベルの確定システムであって、 
前記システムはネットワーク制御ユニットと端末を含み、
前記ネットワーク制御ユニットと端末は、コンポーネントキャリアのインデックス値のソートによって前記コンポーネントキャリアの優先レベルを確定するように設定され、
前記コンポーネントキャリアのインデックス値は、サービスキャリアインデックス（ServCellIndex-r10）及び/又はサブキャリアインデックス（Scellindex-r10）の数値である、
ことを特徴とするコンポーネントキャリアの優先レベルの確定システム。
【請求項１１】
前記ネットワーク制御ユニットと前記端末は、前記ネットワーク制御ユニットが前記端末に配置したセカンダリコンポーネントキャリアの数が１より大きい場合、無線リソース制御（RRC）メッセージのセカンダリコンポーネントキャリア付加修正情報ユニットにおいて前記端末にセカンダリコンポーネントキャリアを配置する順序によって前記セカンダリコンポーネントキャリアの優先レベル順序を確定し、或いは、無線リソース制御（RRC）メッセージのセカンダリコンポーネントキャリア付加修正情報ユニットにおいて前記端末に配置されたセカンダリコンポーネントキャリアのインデックス値のソートによって前記セカンダリコンポーネントキャリアの優先レベル順序を確定するように設定される、請求項１０に記載のコンポーネントキャリアの優先レベルの確定システム。
【請求項１２】
前記ネットワーク制御ユニットは、アクティブ化／非アクティブ化メッセージのメディアアクセス制御の制御ユニット（MAC CE）において前記端末に配置されたアクティブ化されたセカンダリコンポーネントキャリアのインデックス値のソートによって前記アクティブ化されたセカンダリコンポーネントキャリアの優先レベル順序を確定し、アクティブ化／非アクティブ化メッセージのメディアアクセス制御の制御ユニット（MAC CE）の非インデックス値指示ビットを用いて前記ソートの昇順順序がコンポーネントキャリアの優先レベルの高から低へのソートに対応する、或いは前記ソートの降順順序がコンポーネントキャリアの優先レベルの高から低へのソートに対応することを指示するように設定される、請求項１０に記載のコンポーネントキャリアの優先レベルの確定システム。
【請求項１３】
前記ネットワーク制御ユニットは、基地局、中継局、マルチセル／マルチキャストコーディネーションエンティティ（MCE）、モビリティ管理エンティティ（MME）、ゲートウェイのうちの１つ或いは複数であり、
前記端末は、ユーザ端末、携帯電話、中継局のうちの１つである、請求項１０に記載のコンポーネントキャリアの優先レベルの確定システム。
【請求項１４】
コンポーネントキャリアの指示方法であって、 
ネットワーク制御ユニットがコンポーネントキャリアのインデックス値のソートによって前記コンポーネントキャリアの優先レベルを確定し、
ネットワーク制御ユニットがコンポーネントキャリアのキャリア情報を用いて制御シグナリングによって端末に１つの最高の優先レベルを有するコンポーネントキャリアを指示し、
前記コンポーネントキャリアのインデックス値は、サービスキャリアインデックス（ServCellIndex-r10）及び/又はサブキャリアインデックス（Scellindex-r10）の数値である、
ことを特徴とするコンポーネントキャリアの指示方法。
【請求項１５】
前記ネットワーク制御ユニットは、端末にコンポーネントキャリアの識別子を指示することによって端末に最高の優先レベルのコンポーネントキャリアを指示することを実現する、請求項１４に記載のコンポーネントキャリアの指示方法。
【請求項１６】
前記制御シグナリングは、無線リソース制御メッセージ或いはメディアアクセス制御の制御ユニットである、請求項１４に記載のコンポーネントキャリアの指示方法。
【請求項１７】
前記コンポーネントキャリアの識別子は、前記コンポーネントキャリアのScellindex-r10の数値及び／又はServCellIndex-r10の数値であり、或いは前記キャリア情報はコンポーネントキャリアの周波数情報である、請求項１５に記載のコンポーネントキャリアの指示方法。
【請求項１８】
情報の報告方法であって、 
端末はアップリンクシグナリングによってネットワーク制御ユニットに端末が報告したチャネル品質インジケータ（CQI）、プリコーディングマトリクスインジケータ（PMI）或いはランクインジケータ（RI）に対応するダウンリンクコンポーネントキャリアのScellindex-r10の数値及び/又はServCellIndex-r10の数値を送信し、或は前記キャリア情報がコンポーネントキャリアの周波数情報である、
ことを特徴とする情報の報告方法。
【請求項１９】
前記ダウンリンクコンポーネントキャリアは、前記端末が複数のダウンリンクキャリアのCQI、PMI或いはRIをフィードバックする必要がある場合、前記複数のダウンリンクキャリアから選択した１つのダウンリンクキャリアである、請求項１８に記載の情報の報告方法。
【請求項２０】
前記アップリンクシグナリングは、無線リソース制御メッセージ或いはメディアアクセス制御の制御ユニットである、請求項１８に記載の情報の報告方法。
【請求項２１】
端末が報告したダウンリンクコンポーネントキャリアのチャネル品質インジケータ（CQI）、プリコーディングマトリクスインジケータ（PMI）或いはランクインジケータ（RI）の報告モード或いはタイプが同様であると、端末がインデックス値が最小のダウンリンクコンポーネントキャリアのCQI、PMI或いはRIを選択して報告し、
或いは、端末がアップリンクプライマリコンポーネントキャリアにおいてアップリンク物理共有チャネル（PUSCH）がないが、複数のアップリンクセカンダリコンポーネントキャリアにおいてアップリンク物理共有チャネルがある場合、端末がインデックス値が最小のアップリンクコンポーネントキャリアを選択して報告する、請求項１８に記載の情報の報告方法。
【請求項２２】
ネットワーク制御ユニットであって、
コンポーネントキャリアのインデックス値のソートによって前記コンポーネントキャリアの優先レベルを確定するように設定される優先レベル確定モジュールを含み、
前記コンポーネントキャリアのインデックス値は、サービスキャリアインデックス（ServCellIndex-r10）及び/又はサブキャリアインデックス（Scellindex-r10）の数値である、
ことを特徴とするネットワーク制御ユニット。
【請求項２３】
制御シグナリングによって端末に１つの最高の優先レベルを有するコンポーネントキャリアを指示するように設定される指示モジュールをさらに含む、請求項２２に記載のネットワーク制御ユニット。
【請求項２４】
端末であって、
コンポーネントキャリアのインデックス値のソートによって前記コンポーネントキャリアの優先レベルを確定するように設定される優先レベル確定モジュールを含み、
前記コンポーネントキャリアのインデックス値は、サービスキャリアインデックス（ServCellIndex-r10）及び/又はサブキャリアインデックス（Scellindex-r10）の数値である、
ことを特徴とする端末。
【請求項２５】
アップリンクシグナリングによってネットワーク制御ユニットに端末が報告したチャネル品質インジケータ（CQI）、プリコーディングマトリクスインジケータ（PMI）或いはランクインジケータ（RI）に対応するダウンリンクコンポーネントキャリアのインデックス値を送信するように設定されるインデックス値報告モジュールをさらに含む、請求項２４に記載の端末。
【国際調査報告】
2013517748.tif 000002
2013517748.tif 000003
2013517748.tif 000004
2013517748.tif 000005